(57)【特許請求の範囲】
【請求項１】
透液性表面シートと不透液性裏面シートとの間に吸液性コアが介在し、互いに対向する前胴周り域および後胴周り域と、それら胴周り域の間に位置する股下域とを備え、前記前後胴周り域の両側縁近傍が縦方向へ延びる第１接合部を介して固着され、胴周り開口と一対の脚周り開口とが画成されたパンツ型の使い捨ておむつにおいて、
前記表面シートと前記裏面シートとを切断することにより画成されたスリットが、前記前後胴周り域の両側縁と前記第１接合部との間に形成されて前記胴周り開口の縁部近傍と前記脚周り開口の縁部近傍との間を前記縦方向へ延び、前記スリットと前記前後胴周り域の両側縁との間に前記縦方向へ延びる一対の帯部が形成されていることを特徴とする前記おむつ。
【請求項２】
前記表面シートと前記裏面シートとを引き裂くことが可能なミシン線が、前記前後胴周り域の両側縁と前記第１接合部との間に形成されて前記胴周り開口の縁部近傍と前記脚周り開口の縁部近傍との間を前記縦方向へ延び、前記表面シートと前記裏面シートとを前記ミシン線において引き裂くことにより前記スリットが画成される請求項１記載のおむつ。
【請求項３】
前記縦方向へ延びる第２接合部が、前記帯部に形成されている請求項１または請求項２に記載のおむつ。
【発明の詳細な説明】
【０００１】
【発明の属する技術分野】
本発明は、使用後に丸めて廃棄することが可能なパンツ型の使い捨ておむつに関する。
【０００２】
【従来の技術】
使用後に丸めて廃棄するための止着用テープを有するパンツ型の使い捨ておむつは公知である。おむつを廃棄するときでは、おむつを股下域から胴周り開口の縁部に向かって縦方向へ丸めるか、または、おむつを胴周り開口の縁部から股下域に向かって縦方向へ丸め、丸められたおむつの外周面にテープを止着する。おむつは、テープによって丸められた状態が保持される。テープは、可撓性のプラスチックシートから形成され、その内面に粘着剤が塗布されており、テープが粘着剤を介しておむつの外周面に止着される。
【０００３】
そのような止着用テープを有するパンツ型の使い捨ておむつとしては、特開平１０−７１１７２号公報や特開平１０−７１１７３号公報、特開平１０−８５２５４号公報に開示されている。
【０００４】
【発明が解決しようとする課題】
おむつの丸められた状態を保持するために止着用テープを利用することは、簡便であるという利点がある。しかし、テープは、おむつを構成する表裏面シートや吸液性コアと比較して高剛性であり、おむつの着用中にテープに触れると不快な刺激があるという欠点がある。また、テープの粘着面が汚れてしまうと粘着性がなくなり、役に立たなくなるという欠点もある。
【０００５】
本発明の課題は、前記欠点を解消するために止着用テープを利用することなく、廃棄時に丸められた状態を保持することができるパンツ型の使い捨ておむつを提供することにある。
【０００６】
【課題を解決するための手段】
前述した課題を解決するための本発明は、透液性表面シートと不透液性裏面シートとの間に吸液性コアが介在し、互いに対向する前胴周り域および後胴周り域と、それら胴周り域の間に位置する股下域とを備え、前記前後胴周り域の両側縁近傍が縦方向へ延びる第１接合部を介して固着され、胴周り開口と一対の脚周り開口とが画成されたパンツ型の使い捨ておむつを改良することにある。
【０００７】
改良にかかる本発明の特徴は、前記表面シートと前記裏面シートとを切断することにより画成されたスリットが、前記前後胴周り域の両側縁と前記第１接合部との間に形成されて前記胴周り開口の縁部近傍と前記脚周り開口の縁部近傍との間を前記縦方向へ延び、前記スリットと前記前後胴周り域の両側縁との間に前記縦方向へ延びる一対の帯部が形成されていることにある。
【０００８】
本発明の実施の態様の一例としては、前記表面シートと前記裏面シートとを引き裂くことが可能なミシン線が、前記前後胴周り域の両側縁と前記第１接合部との間に形成されて前記胴周り開口の縁部近傍と前記脚周り開口の縁部近傍との間を前記縦方向へ延び、前記表面シートと前記裏面シートとを前記ミシン線において引き裂くことにより前記スリットが画成される。
【０００９】
本発明の実施の態様の他の一例としては、前記縦方向へ延びる第２接合部が、前記帯部に形成されている。
【００１０】
【発明の実施の形態】
添付の図面を参照し、本発明に係るパンツ型の使い捨ておむつの詳細を説明すると、以下のとおりである。
【００１１】
図１，２は、前胴周り域５の側から示す使い捨ておむつ１Ａの部分破断斜視図と、図１のＡ−Ａ線端面とである。図１では、表面シート２と裏面シート３とがミシン線１２において引き裂かれ、一方の側縁８，９近傍に縦方向へ延びるスリット１３が画成されている。図１では、胴周り方向を矢印Ｘ、縦方向を矢印Ｙで示し、脚周り方向を矢印Ｚで示す。なお、表面シート２や裏面シート３の内面とは、コア４に対向する面をいい、それらシート２，３の外面とは、コア４に非対向の面をいう。
【００１２】
おむつ１Ａは、透液性表面シート２と、不透液性裏面シート３と、それらシート２，３の間に介在し、全体がティッシュペーパー（図示せず）に被覆、接合された吸液性コア４とを主要な構成部材とする。コア４は、ティッシュペーパーを介して表面シート２と裏面シート３との内面に接合されている。
【００１３】
おむつ１Ａは、互いに対向する前胴周り域５および後胴周り域７と、前後胴周り域５，７の間に位置する股下域６とを有する。おむつ１Ａでは、前後胴周り域５，７の縦方向へ延びる両側縁８，９近傍が合掌状に重なり合い、両側縁８，９近傍が縦方向へ間欠的に並ぶ多数の第１接合部１０によって固着されている。おむつ１Ａには、胴周り開口１４と一対の脚周り開口１５とが画成されている。
【００１４】
前後胴周り域５，７の両側縁８，９と第１接合部１０との間には、縦方向へ間欠的に並ぶ多数の第２接合部１１が形成されている。第１接合部１０と第２接合部１１とでは、表面シート２の内面が互いに重なり合った状態で、表面シート２どうしが固着されているとともに、表面シート２と裏面シート３とが固着されている。それらシート２，３の固着は、熱による溶着手段を利用している。
【００１５】
第１接合部１０と第２接合部１１との間には、胴周り開口１４の縁部１６近傍と脚周り開口１５の縁部１７近傍との間を縦方向へ延びるミシン線１２が形成されている。おむつ１Ａでは、表面シート２と裏面シート３とをミシン線１２において引き裂くことが可能であり、それらシート２，３をミシン線１２において引き裂くと、図１に示すように、第１接合部１０と第２接合部１１との間に縦方向へ延びるスリット１３が画成される。
【００１６】
胴周り開口１４の縁部１２には、胴周り方向へ伸縮する複数条の胴周り用弾性部材１８が表面シート２と裏面シート３との間に介在し、それらシート２，３の内面に伸長状態で取り付けられている。脚周り開口１５の縁部１７には、脚周り方向へ伸縮する複数条の脚周り用弾性部材１９が表面シート２と裏面シート３との間に介在し、それらシート２，３の内面に伸長状態で取り付けられている。図１では、弾性部材１８，１９各々が収縮し、胴周り開口１４の縁部１６と脚周り開口１５との縁部１７とに沿って多数のギャザーが形成されている。
【００１７】
図３，４は、廃棄するために丸められた図１のおむつ１Ａの斜視図である。それら図では、前胴周り域５を内側にしておむつ１Ａが股下域６から胴周り開口１４の縁部１６に向かって縦方向へ丸められている。図３では、両側縁８，９とスリット１３との間に延びる帯部２０を丸められたおむつ１Ａの外周面にかけとめる以前の状態で示す。
【００１８】
おむつ１Ａでは、表面シート２と裏面シート３とをミシン線１２において引き裂くと、おむつ１Ａの両側縁８，９近傍に縦方向へ延びるスリット１３が画成されるとともに、前後胴周り域５，７の両側縁８，９とスリット１３との間を縦方向へ延びる一対の帯部２０が形成される。
【００１９】
おむつ１Ａを廃棄するときには、前胴周り域５を内側にしておむつ１Ａを股下域６から胴周り開口１４の縁部１６に向かって縦方向へ丸め、図３に示すように、帯部２０を矢印Ｗ１で示す方向へ移動させるとともに、縁部１６と両側縁８，９とが交わる角部２１を矢印Ｗ２で示す方向へ折り返し、帯部２０を丸められたおむつ１Ａの外周面にかけとめる。
【００２０】
おむつ１Ａでは、帯部２０各々によっておむつ１Ａの丸められた状態が保持される。おむつ１Ａでは、胴周り開口１４の縁部１６を２条の帯部２０が跨ぎ、脚周り開口１５の縁部１７がおむつ１Ａとともに丸められる。ゆえに、おむつ１Ａでは、胴周り開口１４と脚周り開口１５とが口を開けることはなく、排泄物や臭気がそれら開口１４，１５から漏れてしまうことがない。
【００２１】
このおむつ１Ａでは、止着用テープを利用することなく、おむつ１Ａの丸められた状態を保持することができる。おむつ１Ａには、止着用テープが取り付けられていないので、おむつ１Ａの着用中に止着用テープが触れることによる不快な刺激がない。
【００２２】
帯部２０には、第２接合部１１が延びているので、帯部２０において表面シート２と裏面シート３とが分離してしまうことがなく、帯部２０を丸められたおむつ１Ａの外周面にかけとめ易い。但し、おむつ１Ａには、第２接合部１１が形成されていなくてもよい。
【００２３】
おむつ１Ａでは、それを胴周り開口１４の縁部１６から股下域６に向かって縦方向へ丸め、帯部２０を丸められたおむつ１Ａの外周面にかけとめることもできる。そのように丸められたおむつ１Ａでは、胴周り開口１４の縁部１６が丸められたおむつ１Ａの内部に納まるので、おむつ１Ａの外周面に縁部１６が露出することはない。
【００２４】
図５は、図１とは異なる態様の前胴周り域５の側から示す使い捨ておむつ１Ｂの部分破断斜視図である。このおむつ１Ｂが図１のそれと異なる点は、以下のとおりである。第１接合部１０と第２接合部１１との間には、胴周り開口１４の縁部１６近傍と脚周り開口１５の縁部１７近傍との間を縦方向へ延びるスリット１３が形成されている。スリット１３は、表面シート２と裏面シート３とを切断することによって画成されている。
【００２５】
おむつ１Ｂでは、前後胴周り域５，７の両側縁８，９とスリット１３との間を縦方向へ延びる一対の帯部２０が形成されている。おむつ１Ｂを廃棄するときには、前胴周り域５を内側にしておむつ１Ｂを股下域６から胴周り開口１４の縁部１６に向かって縦方向へ丸め、図１のおむつ１Ａと同様に、帯部２０を丸められたおむつ１Ｂの外周面にかけとめる。
【００２６】
表面シート２には、親水性繊維不織布や多数の開孔を有するプラスチックフィルムを使用することができる。裏面シート３には、疎水性繊維不織布や不透液性のプラスチックフィルム、または、疎水性繊維不織布とプラスチックフィルムとのラミネートシートを使用することができる。裏面シート３には、高い耐水性を有するメルトブローン法による繊維不織布を、高い強度を有しかつ柔軟性に富んだスパンボンド法による繊維不織布で挟んだ複合不織布を使用することもできる。
【００２７】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維またはサイドバイサイド型複合繊維を使用することができる。
【００２８】
コア４は、フラッフパルプと高吸収性ポリマー粒子と熱可塑性合成樹脂繊維との混合物であり、所要の厚みに圧縮されている。高吸収性ポリマーとしては、デンプン系、セルロース系、合成ポリマー系のものを使用することができる。
【００２９】
表裏面シート２，３に対するコア４の接合や弾性部材１９，２０の取り付けには、ホットメルト型接着剤、または、ヒートシールやソニックシール等の熱による溶着手段を利用することができる。
【００３０】
【発明の効果】
本発明に係るパンツ型の使い捨ておむつでは、それを廃棄するときに、前後胴周り域の両側縁とスリットとの間に形成された帯部を丸められたおむつの外周面にかけとめることで、おむつの丸められた状態を保持することができる。このおむつでは、止着用テープを利用する必要がないので、止着用テープを取り付けた従来技術のように、おむつの着用中にテープが触れることによる不快な刺激がない。
【００３１】
丸められて帯部がかけとめられたおむつでは、胴周り開口の縁部を２条の帯部が跨ぎ、脚周り開口の縁部がおむつとともに丸められるので、胴周り開口と脚周り開口とが口を開けることはなく、排泄物や臭気がそれら開口から漏れてしまうことがない。
【００３２】
ミシン線において表裏面シートを引き裂くことによりスリットを画成するおむつでは、その廃棄時に帯部が形成されるので、あらかじめスリットが画成されたおむつとは異なり、おむつの着用中に帯部が遊動することはなく、それが邪魔になることはない。
【図面の簡単な説明】
【図１】前胴周り域の側から示すパンツ型の使い捨ておむつの部分破断斜視図。
【図２】図１のＡ−Ａ線端面図。
【図３】廃棄するために丸められた図１のおむつの斜視図。
【図４】廃棄するために丸められた図１のおむつの斜視図。
【図５】図１とは異なる態様の前胴周り域の側から示すおむつの部分破断斜視図。
【符号の説明】
１            パンツ型の使い捨ておむつ
２            透液性表面シート
３            不透液性裏面シート
４            吸液性コア
５            前胴周り域
６            股下域
７            後胴周り域
８            側縁
９            側縁
１０            第１接合部
１１            第２接合部
１２            ミシン線
１３            スリット
１４            胴周り開口
１５            脚周り開口
１６            縁部
１７            縁部
２０            帯部
【図１】
0003683800.tif 000002
【図２】
0003683800.tif 000003
【図３】
0003683800.tif 000004
【図４】
0003683800.tif 000005
【図５】
0003683800.tif 000006